(57)【要約】【課題】映像用のコンセントと、データ通信用又は音声通信用のコンセントとを一体化した３個モジュール寸法の情報コンセント及びそれを用いたマルチメディア配線装置を提供する。【解決手段】マルチメディア配線装置Ａは、複数の電源コンセント９と、情報コンセント１とを並設して構成されている。情報コンセント１は器体２を有し、器体２の前面側には３個モジュール寸法に形成された突台部２ｂが一体に設けられている。この突台部２ｂには、ＴＶ用コンセント１０、電話用モジュラコンセント１１及びＬＡＮ用モジュラコンセント１２が突台部２ｂの長手方向に沿って並設されている。これらの電源コンセント９及び情報コンセント１の前面側には、略矩形状の化粧プレート１３が開口部を通して電源コンセント９及び情報コンセント１の機能面を露出させた状態で被着されている。【選択図】図１
2008288163.tif 000002
【特許請求の範囲】
【請求項１】
３個モジュール寸法の大角形連用配線器具と同寸法に形成された器体を有し、当該器体において映像用のコンセント部と、データ通信用のコンセント部又は音声通信用のコンセント部のうち少なくとも何れか一方とを並設したことを特徴とする情報コンセント。
【請求項２】
前記コンセント部として、映像用のコンセント部を２個、データ通信用のコンセント部を１個設けたことを特徴とする請求項１記載の情報コンセント。
【請求項３】
前記コンセント部として、映像用のコンセント部を２個、音声通信用のコンセント部を１個設けたことを特徴とする請求項１記載の情報コンセント。
【請求項４】
前記コンセント部として、映像用のコンセント部を１個、データ通信用のコンセント部を２個設けたことを特徴とする請求項１記載の情報コンセント。
【請求項５】
前記コンセント部として、映像用のコンセント部を１個、音声通信用のコンセント部を２個設けたことを特徴とする請求項１記載の情報コンセント。
【請求項６】
前記２個の映像用のコンセント部は映像信号が入力される入力部を有し、入力された映像信号を各映像用のコンセント部に分配するための分配器を設けたことを特徴とする請求項２又は３の何れか１項に記載の情報コンセント。
【請求項７】
前記映像用のコンセント部に所定の周波数帯域のノイズ成分を減衰させるフィルタを設けたことを特徴とする請求項１〜６の何れか１項に記載の情報コンセント。
【請求項８】
請求項１〜７の何れか１項に記載の情報コンセントと、大角形連用配線器具の取付枠に取着された電源コンセントとを並設して構成されることを特徴とするマルチメディア配線装置。
【発明の詳細な説明】
【技術分野】
【０００１】
本発明は、情報コンセント及びそれを用いたマルチメディア配線装置に関するものである。
【背景技術】
【０００２】
従来より、ＪＩＳ等で規格化された埋込型配線器具用の取付枠に取着可能な配線器具として、電力系の電源コンセントと、映像用のＴＶコンセントや音声通信用（例えば、電話用）のモジュラコンセントやデータ通信用（例えば、ＬＡＮ用）のモジュラコンセントとが提供されている（例えば特許文献１参照）。
【０００３】
これらのコンセントは、例えば取付枠に３個まで取付可能な１個モジュール寸法又は２個モジュール寸法に形成され、電力系のコンセント（電源コンセント）と情報系のコンセント（ＴＶコンセント、電話用のコンセント、ＬＡＮ用のコンセント）とを３連の取付枠に並設した、所謂マルチメディアコンセントが提供されていた。尚、電力系のコンセントと情報系のコンセントの間には、内線規定により絶縁セパレータなどの堅牢な隔壁を設ける必要があるが、情報系のコンセントの間には隔壁などを設ける必要がない。
【特許文献１】特開２００５−１１７５４６号公報（段落［００１５］−［００１６］、及び、第３図）
【発明の開示】
【発明が解決しようとする課題】
【０００４】
上述のマルチメディアコンセントでは、３連の取付枠に電力系のコンセントと情報系のコンセントを取付けていたが、取付枠を３個連設する場合、施工上の制約から金属製のコンセントボックスを用いて配設できない場合があった。ところで、ツーバイフォー工法を用いた建築物の準耐火構造では、コンセントボックスを鋼製とすることが要求されており、３連の取付枠に電力系のコンセントと情報系のコンセントを取付ける場合には、金属製のコンセントボックスを使用できないため準耐火構造に対応できない場合があった。また、上記準耐火構造では、コンセントボックスの開口部の開口面積が１００ｃｍ２を超える場合には、不燃性の断熱材を充填するなどの防火被覆を設けることが要求されており、取付枠が２連の場合は開口面積が１００ｃｍ２未満となるので防火被覆を設ける必要はないが、取付枠が３連の場合は開口面積が１００ｃｍ２以上となるため防火被覆を設ける必要があり、施工性が悪化するという問題があった。
【０００５】
本発明は上記問題点に鑑みて為されたものであり、その目的とするところは、映像用のコンセントと、データ通信用又は音声通信用のコンセントとを一体化した３個モジュール寸法の情報コンセント及びそれを用いたマルチメディア配線装置を提供することにある。
【課題を解決するための手段】
【０００６】
請求項１の発明は、３個モジュール寸法の大角形連用配線器具と同寸法に形成された器体を有し、当該器体において映像用のコンセント部と、データ通信用のコンセント部又は音声通信用のコンセント部のうち少なくとも何れか一方とを並設したことを特徴とする。
【０００７】
請求項２の発明は、コンセント部として、映像用のコンセント部を２個、データ通信用のコンセント部を１個設けたことを特徴とする。
【０００８】
請求項３の発明は、コンセント部として、映像用のコンセント部を２個、音声通信用のコンセント部を１個設けたことを特徴とする。
【０００９】
請求項４の発明は、コンセント部として、映像用のコンセント部を１個、データ通信用のコンセント部を２個設けたことを特徴とする。
【００１０】
請求項５の発明は、コンセント部として、映像用のコンセント部を１個、音声通信用のコンセント部を２個設けたことを特徴とする。
【００１１】
請求項６の発明は、２個の映像用のコンセント部は映像信号が入力される入力部を有し、入力された映像信号を各映像用のコンセント部に分配するための分配器を設けたことを特徴とする。
【００１２】
請求項７の発明は、映像用のコンセント部に所定の周波数帯域のノイズ成分を減衰させるフィルタを設けたことを特徴とする。
【００１３】
請求項８の発明は、請求項１〜７の何れか１項に記載の情報コンセントと、大角形連用配線器具の取付枠に取着された電源コンセントとを並設して構成されることを特徴とする。
【発明の効果】
【００１４】
請求項１の発明によれば、映像用のコンセント部と、データ通信用のコンセント部又は音声通信用のコンセント部のうち少なくとも何れか一方とを１連の取付枠に取付けることができるので、３連の取付枠を用いたマルチメディアコンセントと比較して小型化することができるという効果がある。
【００１５】
請求項２の発明によれば、器体において２個の映像用のコンセント部と１個のデータ通信用のコンセント部の並びを変えることによって、様々なバリエーションに対応することができるという効果がある。
【００１６】
請求項３の発明によれば、器体において２個の映像用のコンセント部と１個の音声通信用のコンセント部の並びを変えることによって、様々なバリエーションに対応することができるという効果がある。
【００１７】
請求項４の発明によれば、器体において１個の映像用のコンセント部と２個のデータ通信用のコンセント部の並びを変えることによって、様々なバリエーションに対応することができるという効果がある。
【００１８】
請求項５の発明によれば、器体において１個の映像用のコンセント部と２個の音声通信用のコンセント部の並びを変えることによって、様々なバリエーションに対応することができるという効果がある。
【００１９】
請求項６の発明によれば、分配器を設けることによって、入力された映像信号を各映像用のコンセント部にそれぞれ分配することができるという効果がある。
【００２０】
請求項７の発明によれば、フィルタを設けることによって所定の周波数帯域のノイズ成分を減衰させることができ、通信速度の低下を抑えた情報コンセントを提供することができるという効果がある。
【００２１】
請求項８の発明によれば、映像用のコンセント部と、データ通信用のコンセント部又は音声通信用のコンセント部のうち少なくとも何れか一方とを１連の取付枠に取付けることによって、マルチメディア配線装置を２連モジュールの大きさにすることができ、３連の取付枠を用いたマルチメディアコンセントと比較して小型化することができるという効果がある。また、マルチメディア配線装置を２連モジュールの大きさにすることによってコンセントボックスを用いた場合でも施工を容易に行うことができ、さらに開口面積が１００ｃｍ２未満のコンセントボックスを用いることができるので、ツーバイフォー工法の準耐火構造においてコンセントボックスを防火被覆しなくてもよく、施工性の悪化を抑えることができるという効果がある。
【発明を実施するための最良の形態】
【００２２】
（第１の実施形態）
第１の実施形態を図１〜図１０に基づいて説明する。本実施形態のマルチメディア配線装置Ａは、例えば住居などの壁面に設けた埋込孔（図示せず）を通して埋込配設される。
【００２３】
このマルチメディア配線装置Ａは、図１に示すように複数（図１では３個）の電源コンセント９と、例えば地上波放送を受信するためのＴＶ用コンセント（映像用のコンセント部）１０、電話用モジュラコンセント（音声通信用のコンセント部）１１及びＬＡＮ用モジュラコンセント（データ通信用のコンセント部）１２を有する情報コンセント１とを並設して構成される。
【００２４】
電源コンセント９は、例えばＪＩＳ（ＪＩＳ  Ｃ  ８３０４）等で規格化された埋込型配線器具の単位寸法（取付枠に設けられた開口部の長手方向に３個並べて取付枠に取付可能な寸法であり、この寸法を１個モジュール寸法という）に形成されており、３個の電源コンセント９が長手方向（図１の上下方向）に沿って取付枠（図示せず）にそれぞれ取付けられている。これらの電源コンセント９は、例えば家電などの機器に電気的に接続された電源プラグ（図示せず）が差し込まれ、電源プラグを電源コンセント９に差し込んだ状態で図１中の右周りに電源プラグを回転させると、電源プラグが電源コンセント９に電気的に接続されるとともに機械的に保持され、抜けが防止される。また、電源コンセント９から電源プラグを取り外す場合には、電源プラグを図１中の左回りに回転させ手前に引くと、電源プラグが電源コンセント９から取り外される。尚、本実施形態では電源コンセント９として従来周知のものを用いており、詳細な説明は省略する。
【００２５】
情報コンセント１は、図２及び図３に示すように情報コンセント１を壁面に取付けるための略矩形枠状の取付枠３に取着される器体２を備えている。
【００２６】
取付枠３は、例えばＪＩＳ（ＪＩＳ  Ｃ  ８３７５）等で規格化されたものであり、中央位置に後述する器体２の突台部２ｂを前面側に露出させるための開口部３ａを有する縦長の略矩形枠状に形成されている。この取付枠３の幅方向一端側（図３（ａ）の左側）の側面には一対の係止孔３ｅ、３ｅが長手方向に沿って３組設けられ、幅方向他端側の側面には係止片３ｄが長手方向に沿って３個設けられている。また、開口部３ａを間にして長手方向両側には、壁面に埋込配設された埋込ボックス（図示せず）などに取付枠３を取付けるための固定ねじ（図示せず）が挿通する横長の挿通孔３ｂ、３ｂがそれぞれ設けられ、さらに各挿通孔３ｂよりも長手方向両端側には、後述する化粧プレート１３を取付けるための固定ねじ（図示せず）が螺合するねじ孔３ｃ、３ｃがそれぞれ設けられている。
【００２７】
器体２は、例えば合成樹脂製であって裏面側（図３（ｂ）の右側）が開口する略箱状の本体部２ａを有し、本体部２ａの前面側には略矩形状の突台部２ｂが一体に設けられている。尚、本体部２ａは取付枠３の開口部３ａの開口寸法よりも大きく形成され、突台部２ｂは開口部３ａの開口寸法と略同寸法（すなわち、３個モジュール寸法）に形成されている。
【００２８】
突台部２ｂの前面側において長手方向一端側（図３（ａ）の上側）には、ＴＶ受信用のプラグが挿入される略円筒状のプラグ収納凹部２ｃが設けられ、このプラグ収納凹部２ｃの底部には挿通孔（図示せず）が貫設されている。また、突台部２ｂの前面側において長手方向中央位置には、電話用のモジュラプラグが挿入されるプラグ挿入口２ｄが設けられ、さらに長手方向他端側にはＬＡＮ用のモジュラプラグが挿入されるプラグ挿入口２ｅが設けられている。
【００２９】
ここで、プラグ挿入口２ｄ、２ｅの前面側の開口端縁には、開口を閉塞する形でそれぞれシャッター７、８が設けられている。シャッター７は２枚の扉体７ａ、７ｂを有し、図３（ａ）中の上下方向に移動自在に設けられている。これらの扉体７ａ、７ｂは、下側に弾性付勢された状態で突台部２ｂに保持されて収納凹部２ｄの開口を開閉自在に閉塞している。また、扉体７ｂの下端には前面側に突出する操作片７ｃが突設されており、操作片７ｃに上向きの力を加えることにより２枚の扉体７ａ、７ｂが上側に移動して開口を解放し、開口を通してプラグ挿入口２ｄが露出するようになっている。尚、シャッター８はシャッター７と同様の構成を有しているので説明は省略し、またこのような開閉機構は従来周知であり、詳細な説明は省略する。
【００３０】
本体部２ａの裏面側（図３（ｂ）の右側）においてプラグ収納凹部２ｃに対応する部位には、壁面の裏側に先行配線されたＴＶ用の同軸ケーブル（図示せず）からの映像信号を中継接続するための接続ターミナル４が配置されている。この接続ターミナル４は、一端側に同軸ケーブルが接続される入力端子４ｂが設けられるとともに他端側に受信した映像信号を出力する出力端子４ａが設けられており、取付状態において出力端子４ａが挿通孔を通りプラグ収納凹部２ｃ内に配置されている。尚、接続ターミナル４の内部には所定の周波数帯域のノイズ成分を減衰させるフィルタ（図示せず）が内蔵されており、例えばＴＶ用コンセント１０がケーブルＴＶ用である場合には、上り方向（ＴＶ側から基地局への方向）の所定の周波数帯域のノイズ成分を減衰させることができ、したがって通信速度の低下を抑えることができる。ここに、接続ターミナル４、プラグ収納凹部２ｃなどによりＴＶ用コンセント１０が構成されている。
【００３１】
また、プラグ挿入口２ｄ内には電話用のモジュラプラグと電気的に接続される複数のコンタクトピン（図示せず）が配置され、本体部２ａの裏面側にはこれらのコンタクトピンと電気的に接続された速結端子５ａ、５ａを有する端子部５が設けられている。これらの速結端子５ａ、５ａには、各速結端子５ａに芯線を差込み挟持させることで壁面の裏側に先行配線された電話ケーブル（図示せず）が電気的に接続される。尚、速結端子５ａは従来周知であり、詳細な説明は省略する。ここに、プラグ挿入口２ｄ、コンタクトピン、端子部５などにより電話用モジュラコンセント１１が構成されている。
【００３２】
さらに、プラグ挿入口２ｅ内にはＬＡＮ用のモジュラプラグと電気的に接続される複数のコンタクトピン（図示せず）が配置され、本体部２ａの裏面側にはこれらのコンタクトピンと電気的に接続されたＩＤＣ端子と呼ばれる複数の圧接端子６ａを有する端子部６が設けられている。これらの圧接端子６ａは、被覆された状態の芯線をスリット部に押込むことによって被覆を除去し、圧接端子６ａと芯線とが電気的に接続されるものであり、壁面の裏側に先行配線されたＬＡＮケーブル（図示せず）の芯線を対応する圧接端子６ａにそれぞれ圧接することで、ＬＡＮケーブルとコンタクトピンとが電気的に接続される。ここに、プラグ挿入口２ｅ、コンタクトピン、端子部６などによりＬＡＮ用モジュラコンセント１２が構成されている。
【００３３】
尚、上記圧接端子６ａを用いた場合、図３（ｂ）に示すように端子部６の裏面側（右側）への突出量が大きくなるが、本実施形態では図３（ｃ）に示すように接続ターミナル４の入力端子４ｂ側を斜め下方に傾けることにより、入力端子４ｂに接続された同軸ケーブルが端子部６に干渉するのを防止している。また、接続ターミナル４の入力端子４ｂを斜め下方に傾けたことに伴い、端子部５を入力端子４ｂを傾けた方向と反対側に配置している。
【００３４】
また、本体部２ａの幅方向一端側（図３（ａ）の左側）の側面において取付枠３に設けた一対の係止孔３ｅ、３ｅに対応する部位には、一対の係止孔３ｅ、３ｅと係止する一対の係止突起２ｆ、２ｆが長手方向に沿って３組設けられ、幅方向他端側の側面において係止片３ｄに対応する部位には、各係止片３ｄが係止する係止溝（図示せず）が長手方向に沿って３個設けられている。
【００３５】
上記電源コンセント９及び情報コンセント１は、取付枠３を介して壁面に取付けられ、これらの電源コンセント９及び情報コンセント１の前面側には化粧プレート１３が取付けられる。この化粧プレート１３はプレート枠（図示せず）及びプレート１３ａからなり、プレート１３ａの前面側には電源コンセント９及び情報コンセント１の機能面を露出するための開口部が設けられている。そして、プレート枠を固定ねじ（図示せず）を用いて取付枠３に固定し、さらにプレート枠の係止孔（図示せず）にプレート１３ａの係止片（図示せず）を挿通させて係止孔の端縁に係止させると、開口部から電源コンセント９及び情報コンセント１の機能面を露出させた状態で化粧プレート１３が取付けられ、施工が完了する。
【００３６】
本実施形態のマルチメディア配線装置Ａでは、ＴＶ用コンセント１０、電話用モジュラコンセント１１及びＬＡＮ用モジュラコンセント１２を３個モジュール寸法に形成した突台部２ｂに並設することで一体化しており、これらのコンセントを１連の取付枠３に取付けることができるので、マルチメディア配線装置Ａを２連モジュールの大きさにすることができ、したがって３連の取付枠を用いたマルチメディアコンセントと比較して小型化することができる。また、マルチメディア配線装置Ａを２連モジュールの大きさにすることによって、コンセントボックスを用いた場合でも施工を容易に行うことができ、さらに開口面積が１００ｃｍ２未満のコンセントボックスを用いることができるので、ツーバイフォー工法の準耐火構造においてコンセントボックスを防火被覆しなくてもよく、施工性の悪化を抑えることができる。
【００３７】
ここで、マルチメディア配線装置Ａの他の例を図４〜図６に基づいて説明する。図１で説明したマルチメディア配線装置Ａでは、情報コンセント１においてコンセントの並びを上からＴＶ用コンセント１０、電話用モジュラコンセント１１、ＬＡＮ用モジュラコンセント１２の順に配置しているが、図４のマルチメディア配線装置Ａでは、コンセントの並びを上からＴＶ用コンセント１０、ＬＡＮ用モジュラコンセント１２、電話用モジュラコンセント１１の順に配置している。また、ＬＡＮケーブルを接続する接続端子として上記圧接端子６ａの代わりに速結端子６ｂを用いている。それ以外の構成は図１で説明したマルチメディア配線装置Ａと同様であり、同一の構成要素には同一の符号を付して説明を省略する。
【００３８】
この情報コンセント１では、図６に示すようにＬＡＮケーブルを接続する接続端子として速結端子６ｂを用いて接続部６を薄型にし、且つ、接続ターミナル４の入力端子４ｂ側を斜め下方に傾けて同軸ケーブルが端子部５、６に干渉するのを防止することで、図４に示すコンセントの並びを実現しており、この場合もマルチメディア配線装置Ａを２連モジュールの大きさに形成することができるので、３連の取付枠を用いたマルチメディアコンセントと比較して小型化することができる。
【００３９】
また、マルチメディア配線装置Ａのさらに他の例を図７〜図９に基づいて説明する。このマルチメディア配線装置Ａは、情報コンセント１におけるコンセントの並びを上から電話用モジュラコンセント１１、ＴＶ用コンセント１０、ＬＡＮ用モジュラコンセント１２の順に配置しており、またＴＶ用の接続ターミナル４を裏面側に延長している。それ以外の構成は図１で説明したマルチメディア配線装置Ａと同様であり、同一の構成要素には同一の符号を付して説明を省略する。
【００４０】
この情報コンセント１では、図９に示すようにＴＶ用の接続ターミナル４を裏面側に延長し、且つ、入力端子４ｂ側を斜め下方に傾けて同軸ケーブルが端子部６に干渉するのを防止することで、図７に示すコンセントの並びを実現しており、この場合もマルチメディア配線装置Ａを２連モジュールの大きさに形成することができるので、３連の取付枠を用いたマルチメディアコンセントと比較して小型化することができる。
【００４１】
さらに、図７に示すマルチメディア配線装置Ａに対して電話用モジュラコンセント１１とＬＡＮ用モジュラコンセント１２の位置を入れ替えてもよく（図１０（ａ）参照）、またＴＶ用コンセント１０を一番下側の位置に設け、電話用モジュラコンセント１１とＬＡＮ用モジュラコンセント１２の位置を相互に入れ替えてもよい（図１０（ｂ）、（ｃ）参照）。この場合もマルチメディア配線装置Ａを２連モジュールの大きさに形成することができるので、３連の取付枠を用いたマルチメディアコンセントと比較して小型化することができる。
【００４２】
（第２の実施形態）
第２の実施形態を図１１及び図１２に基づいて説明する。第１の実施形態では、情報コンセント１を構成するコンセントとしてＴＶ用コンセント１０、電話用モジュラコンセント１１及びＬＡＮ用モジュラコンセント１２を各１個ずつ用いているが、本実施形態ではＴＶ用コンセント１０を２個、ＬＡＮ用モジュラコンセント１２を１個用いている。それ以外の構成は第１の実施形態と同様であり、同一の構成要素には同一の符号を付して説明は省略する。
【００４３】
本実施形態のマルチメディア配線装置Ａでは、図１１に示すように情報コンセント１において２個のＴＶ用コンセント１０、１０及びＬＡＮ用モジュラコンセント１２の並びを変えることで、３パターン（図１１（ａ）〜（ｃ）参照）のバリエーションを提供することができる。また、図１１（ａ）、（ｃ）のように２個のＴＶ用コンセント１０、１０が隣接して配置している場合、図１３（ａ）に示す接続ターミナル１４を用いることができる。この接続ターミナル１４内には分配器（図示せず）が内蔵されており、入力端子から入力された映像信号を分配器により各ＴＶ用コンセント１０に分配することができる。
【００４４】
ここで、２個のＴＶ用コンセント１０、１０は、一方が地上波放送受信用、他方がＣＳ放送受信用のコンセントであってもよい。この場合、地上波放送とＣＳ放送とは入力が異なるため図１３（ｂ）に示すように別々の接続ターミナル４を用いればよく、またコンセントの並びについては図１１（ａ）〜（ｃ）の何れのパターンであってもよい。
【００４５】
また、本実施形態の別の例を図１２に基づいて説明する。図１１で説明したマルチメディア配線装置Ａでは、コンセントとしてＬＡＮ用モジュラコンセント１２を用いているが、図１２のマルチメディア配線装置ＡではＬＡＮ用モジュラコンセント１２の代わりに電話用モジュラコンセント１１を用いており、それ以外の構成は図１１と同様である。
【００４６】
尚、図１２ではコンセントの並びを上からＴＶ用コンセント１０、ＴＶ用コンセント１０、電話用モジュラコンセント１１の順に配置しているが、図１１（ｂ）、（ｃ）に示すような並びであってもよく、同様に３パターンのバリエーションを提供することができる。
【００４７】
（第３の実施形態）
第３の実施形態を図１４及び図１５に基づいて説明する。第１の実施形態では、情報コンセント１を構成するコンセントとしてＴＶ用コンセント１０、電話用モジュラコンセント１１及びＬＡＮ用モジュラコンセント１２を各１個ずつ用いているが、本実施形態ではＴＶ用コンセント１０を１個、ＬＡＮ用モジュラコンセント１２を２個用いている。それ以外の構成は第１の実施形態と同様であり、同一の構成要素には同一の符号を付して説明を省略する。
【００４８】
本実施形態のマルチメディア配線装置Ａでは、図１４に示すように情報コンセント１において上からＴＶ用コンセント１０、ＬＡＮ用モジュラコンセント１２、ＬＡＮ用モジュラコンセント１２の順に配置しているが、各コンセントの並びを変えてもよく、各コンセントの並びを変えることによって３パターンのバリエーションを提供することができる。
【００４９】
また、本実施形態の別の例を図１５に基づいて説明する。図１４で説明したマルチメディア配線装置Ａでは、コンセントとしてＬＡＮ用モジュラコンセント１２を２個用いているが、図１５のマルチメディア配線装置Ａでは電話用モジュラコンセント１１を２個用いており、それ以外の構成は図１４と同様である。この場合も図１４と同様に各コンセントの並びを変えてもよく、各コンセントの並びを変えることによって３パターンのバリエーションを提供することができる。
【００５０】
尚、第１の実施形態〜第３の実施形態において、電源コンセント９を３個用いた場合を例に説明したが、図１６（ａ）、（ｂ）に示すように電源コンセント９を１個又は２個用いたものであってもよい。さらに、図１６（ｃ）に示すように抜止型ではない電源コンセント１５や図１６（ｄ）に示すように接地極付きの電源コンセント１６や図１６（ｅ）に示すように接地端子を備えた接地極付きの電源コンセント１７であってもよい。
【００５１】
また、第１の実施形態〜第３の実施形態では、ＴＶ用の接続ターミナル４にフィルタを内蔵した場合を例に説明したが、フィルタがないものであってもよい。
【図面の簡単な説明】
【００５２】
【図１】第１の実施形態のマルチメディア配線装置の正面図である。
【図２】同上のマルチメディア配線装置に用いられる情報コンセントの斜視図である。
【図３】同上のマルチメディア配線装置に用いられる情報コンセントを示し、（ａ）は正面図、（ｂ）は側面図、（ｃ）は背面図、（ｄ）は上面図である。
【図４】同上の他のマルチメディア配線装置の正面図である。
【図５】同上の他のマルチメディア配線装置に用いられる情報コンセントの斜視図である。
【図６】同上の他のマルチメディア配線装置に用いられる情報コンセントを示し、（ａ）は正面図、（ｂ）は側面図、（ｃ）は背面図、（ｄ）は上面図である。
【図７】同上のさらに他のマルチメディア配線装置の正面図である。
【図８】同上のさらに他のマルチメディア配線装置に用いられる情報コンセントの斜視図である。
【図９】同上のさらに他のマルチメディア配線装置に用いられる情報コンセントを示し、（ａ）は正面図、（ｂ）は側面図、（ｃ）は背面図、（ｄ）は上面図である。
【図１０】（ａ）〜（ｃ）は同上のさらにまた他のマルチメディア配線装置のバリエーションを示す正面図である。
【図１１】（ａ）〜（ｃ）は第２の実施形態のマルチメディア配線装置のバリエーションを示す正面図である。
【図１２】同上の他のマルチメディア配線装置の正面図である。
【図１３】（ａ）、（ｂ）は同上のマルチメディア配線装置に用いられる情報コンセントの背面斜視図である。
【図１４】第３の実施形態のマルチメディア配線装置の正面図である。
【図１５】同上の他のマルチメディア配線装置の正面図である。
【図１６】（ａ）〜（ｅ）は同上のさらに他のマルチメディア配線装置のバリエーションを示す正面図である。
【符号の説明】
【００５３】
１    情報コンセント
２    器体
２ｂ  突台部
１０  ＴＶ用コンセント（映像用のコンセント部）
１１  電話用モジュラコンセント（音声通信用のコンセント部）
１２  ＬＡＮ用モジュラコンセント（データ通信用のコンセント部）
Ａ    マルチメディア配線装置
【図１】
2008288163.tif 000003
【図２】
2008288163.tif 000004
【図３】
2008288163.tif 000005
【図４】
2008288163.tif 000006
【図５】
2008288163.tif 000007
【図６】
2008288163.tif 000008
【図７】
2008288163.tif 000009
【図８】
2008288163.tif 000010
【図９】
2008288163.tif 000011
【図１０】
2008288163.tif 000012
【図１１】
2008288163.tif 000013
【図１２】
2008288163.tif 000014
【図１３】
2008288163.tif 000015
【図１４】
2008288163.tif 000016
【図１５】
2008288163.tif 000017
【図１６】
2008288163.tif 000018